(57)【要約】【課題】フロア雑音または位相雑音を抑えることができ、かつ分周器の分周比の設定に手間がかからない発振器を提供すること。【解決手段】周波数シンセサイザの出力信号を順次分周する複数の分周器と、前記複数の分周器における最終段の分周器から目的とする周波数が得られるように、当該複数の分周器の各々について、入力周波数と分周比との組み合わせを複数設定すると共に各組み合わせ毎に、各段の分周器の出力信号のフロア雑音または位相雑音の大きさを記載した分周特性データを記憶する記憶部と、前記記憶部に記憶されている分周特性データに基づいて、各分周器の許容入力周波数の範囲内でありかつ最終段の分周器からの出力信号のフロア雑音または位相雑音が良好な入力周波数と分周比との組み合わせを判断して選択する選択部と、を備えるように発振器を構成する。【選択図】図２
2011188303.tif 000002
【特許請求の範囲】
【請求項１】
周波数シンセサイザと、
この周波数シンセサイザの出力信号を順次分周する複数の分周器と、
前記複数の分周器における最終段の分周器から目的とする周波数が得られるように、当該複数の分周器の各々について、入力周波数と分周比との組み合わせを複数設定すると共に各組み合わせ毎に、各段の分周器の出力信号のフロア雑音の大きさを記載した分周特性データを記憶する記憶部と、
前記記憶部に記憶されている分周特性データに基づいて、各分周器の許容入力周波数の範囲内でありかつ最終段の分周器からの出力信号のフロア雑音が良好な入力周波数と分周比との組み合わせを判断して選択する選択部と、
各分周器を、前記選択部で選択され組み合わせに応じた分周比に設定するための制御信号を出力する制御部と、を備えたことを特徴とする発振器。
【請求項２】
周波数シンセサイザと、
この周波数シンセサイザの出力信号を順次分周する複数の分周器と、
前記複数の分周器における最終段の分周器から目的とする周波数が得られるように、当該複数の分周器の各々について、入力周波数と分周比との組み合わせを複数設定すると共に各組み合わせ毎に、各段の分周器の出力信号の位相雑音の大きさを記載した分周特性データを記憶する記憶部と、
前記記憶部に記憶されている分周特性データに基づいて、各分周器の許容入力周波数の範囲内でありかつ最終段の分周器からの出力信号の位相雑音が良好な入力周波数と分周比との組み合わせを判断して選択する選択部と、
各分周器を、前記選択部で選択され組み合わせに応じた分周比に設定するための制御信号を出力する制御部と、を備えたことを特徴とする発振器。
【請求項３】
周波数シンセサイザと、
この周波数シンセサイザの出力信号を順次分周する複数の分周器と、
前記複数の分周器における最終段の分周器から目的とする周波数が得られるように、当該複数の分周器の各々について、入力周波数と分周比との組み合わせを複数設定すると共に各組み合わせ毎に、各段の分周器の出力信号のフロア雑音の大きさ及び位相雑音の大きさを記載した分周特性データを記憶する記憶部と、
前記記憶部に記憶されている分周特性データに基づいて、各分周器の許容入力周波数の範囲内でありかつ最終段の分周器からの出力信号のフロア雑音及び位相雑音が良好な入力周波数と分周比との組み合わせを判断して選択する選択部と、
各分周器を、前記選択部で選択され組み合わせに応じた分周比に設定するための制御信号を出力する制御部と、を備えたことを特徴とする発振器。
【請求項４】
請求項１ないし３に記載された発振器において、
前記複数の分周器に代えて１個の分周器を用い、
前記分周特性データは、複数の分周器の各々について、入力周波数と分周比との組み合わせを複数設定すると共に各組み合わせ毎にフロア雑音及び位相雑音の少なくとも一方の大きさを書き込んだデータであることに代えて、前記１個の分周器について入力周波数と分周比との組み合わせ毎にフロア雑音及び位相雑音の少なくとも一方の大きさを書き込んだデータであることを特徴とする発振器。
【発明の詳細な説明】
【技術分野】
【０００１】
本発明は、周波数シンセサイザと分周器とを備えた発振器に関する。
【背景技術】
【０００２】
低雑音、低周波数の基準信号源として例えば水晶発振器が用いられる場合が有り、この水晶発振器の周波数は固定されている。そこで、多様な機種に対応するために水晶発振器からの出力を基準信号とする周波数シンセサイザを構成し、この周波数シンセサイザの後段に分周器を設けて、発振器を構成する場合が有る。
【０００３】
例えば分周器は複数段に設けられ、周波数シンセサイザの出力信号が順次分周され、後段側に出力される。そして、周波数シンセサイザの出力と、夫々の分周器の分周比の組み合わせとにより、所望の周波数信号を取り出している。
【０００４】
ところで、各分周器の分周比によって、当該分周器から出力される信号の位相雑音特性及びフロア雑音特性は変化する。そこで、上記の発振器の製造時には製造者が、周波数シンセサイザが出力可能な周波数範囲、各分周器の許容入力周波数範囲を考慮しながら、出力信号の位相雑音及びフロア雑音ができるだけ抑えられ、なおかつ発振器から所望の周波数信号を出力できるように各分周器の分周比の設定と、周波数シンセサイザからの出力周波数の設定とを行っていた。しかし、各機種で要求される周波数に応じて、このように人力で設定を行うことは手間と時間がかかる。分周器が複数設けられる場合について説明してきたが、１個の場合も同様の問題が起こる。
【０００５】
特許文献１には、フロア雑音を改善するための位相同期発振器について記載されており、この位相同期発振器は複数段に接続された分周器を備えている。しかし、この分周器は帰還側に設けられており、また分周比の設定を行うときの上記のような問題については記載されておらず、この問題を解決できるものではない。
【先行技術文献】
【特許文献】
【０００６】
特開平６−１５２３９３
【発明の概要】
【発明が解決しようとする課題】
【０００７】
本発明はこのような事情の下になされたものであり、フロア雑音または位相雑音を抑えることができ、かつ分周器の分周比の設定に手間がかからない発振器を提供することである。
【課題を解決するための手段】
【０００８】
本発明の発振器は、
周波数シンセサイザと、
この周波数シンセサイザの出力信号を順次分周する複数の分周器と、
前記複数の分周器における最終段の分周器から目的とする周波数が得られるように、当該複数の分周器の各々について、入力周波数と分周比との組み合わせを複数設定すると共に各組み合わせ毎に、各段の分周器の出力信号のフロア雑音の大きさを記載した分周特性データを記憶する記憶部と、
前記記憶部に記憶されている分周特性データに基づいて、各分周器の許容入力周波数の範囲内でありかつ最終段の分周器からの出力信号のフロア雑音が良好な入力周波数と分周比との組み合わせを判断して選択する選択部と、
各分周器を、前記選択部で選択され組み合わせに応じた分周比に設定するための制御信号を出力する制御部と、を備えたことを特徴とする。
【０００９】
本発明の他の発振器は、周波数シンセサイザと、
この周波数シンセサイザの出力信号を順次分周する複数の分周器と、
前記複数の分周器における最終段の分周器から目的とする周波数が得られるように、当該複数の分周器の各々について、入力周波数と分周比との組み合わせを複数設定すると共に各組み合わせ毎に、各段の分周器の出力信号の位相雑音の大きさを記載した分周特性データを記憶する記憶部と、
前記記憶部に記憶されている分周特性データに基づいて、各分周器の許容入力周波数の範囲内でありかつ最終段の分周器からの出力信号の位相雑音が良好な入力周波数と分周比との組み合わせを判断して選択する選択部と、
各分周器を、前記選択部で選択され組み合わせに応じた分周比に設定するための制御信号を出力する制御部と、を備えたことを特徴とする。
【００１０】
さらに本発明の他の発振器は、
周波数シンセサイザと、
この周波数シンセサイザの出力信号を順次分周する複数の分周器と、
前記複数の分周器における最終段の分周器から目的とする周波数が得られるように、当該複数の分周器の各々について、入力周波数と分周比との組み合わせを複数設定すると共に各組み合わせ毎に、各段の分周器の出力信号のフロア雑音の大きさ及び位相雑音の大きさを記載した分周特性データを記憶する記憶部と、
前記記憶部に記憶されている分周特性データに基づいて、各分周器の許容入力周波数の範囲内でありかつ最終段の分周器からの出力信号のフロア雑音及び位相雑音が良好な入力周波数と分周比との組み合わせを判断して選択する選択部と、
各分周器を、前記選択部で選択され組み合わせに応じた分周比に設定するための制御信号を出力する制御部と、を備えたことを特徴とする。
【００１１】
また、上記の発振器において、
前記複数の分周器に代えて１個の分周器を用い、
前記分周特性データは、複数の分周器の各々について、入力周波数と分周比との組み合わせを複数設定すると共に各組み合わせ毎にフロア雑音及び位相雑音の少なくとも一方の大きさを書き込んだデータであることに代えて、前記１個の分周器について入力周波数と分周比との組み合わせ毎にフロア雑音及び位相雑音の少なくとも一方の大きさを書き込んだデータであってもよい。
【発明の効果】
【００１２】
本発明の発振器は、複数の分周器の各々について、入力周波数と分周比との組み合わせを複数設定すると共に各組み合わせ毎に、各段の分周器の出力信号のフロア雑音または位相雑音の大きさを記載した分周特性データを記憶する記憶部を備えており、この分周特性データに基づいて、各分周器の許容入力周波数の範囲内でありかつ最終段の分周器からの出力信号のフロア雑音または位相雑音が良好な入力周波数と分周比との組み合わせを判断して選択する。従ってフロア雑音または位相雑音を抑え、かつ分周比の設定に要する手間及び時間を抑えることができる。
【図面の簡単な説明】
【００１３】
【図１】本発明に係る発振器のブロック図である。
【図２】前記発振器が備える記憶部の構成図である。
【図３】分周比が決定される工程を示したフローチャートである。
【図４】分周比が決定される他の工程を示したフローチャートである。
【発明を実施するための形態】
【００１４】
本発明の実施の形態である発振器１の構成について図１を参照しながら説明する。発振器１は周波数シンセサイザ１０を備えており、周波数シンセサイザ１０は、水晶発振器１１と回路１２とＶＣＯ１３とにより構成されている。水晶発振器１１の出力は例えば１０ＭＨｚである。水晶発振器１１の後段には、ＰＬＬPhase Locked Loop）を構成するための前記回路１２が設けられている。この回路１２はその後段に設けられたＶＣＯ（電圧制御発振回路）１３に制御信号を出力し、当該回路１２にはＶＣＯ１３からのフィードバック信号が入力される。ＶＣＯ１３の後段には分周器２１、分周器２２が前段側からこの順に接続され、ＶＣＯ１３の出力信号は分周器２１、２２により順次分周されて出力される。
【００１５】
この発振器１は例えばコンピュータからなる制御部３を備えている。制御部３には各種演算を行うＣＰＵ３１が設けられており、周波数シンセサイザ１０及び分周器２１、２２に制御信号を出力し、周波数シンセサイザ１０の出力周波数が制御され、分周器２１、分周器２２の分周比が設定される。選択部を構成するプログラム３２は、後述のように各種の判定を行い、分周器２１、２２の分周比を決定できるようにステップ群が組まれている。図中３３はバスであり、３４は記憶部である。
【００１６】
図中４２はデジタル−アナログ変換回路であり、制御部３からのデジタル信号をアナログ信号に変換する。そして、変換された信号が分周器２１、２２の制御端子に入力され、その入力信号に応じて分周器２１、２２の分周比が決定される。制御部３からのデジタル信号の出力値及び変換されたアナログ信号の出力値は、分周器２１、２２の仕様に応じて設定される。
【００１７】
図２は記憶部３４に格納されているデータを示している。図２に示すように記憶部３４には、ＶＣＯ１３の出力周波数（＝分周器２１への入力周波数）と、分周器２１の分周比と、分周器２１からの出力周波数（＝分周器２２への入力周波数）と、分周器２１からの出力信号の位相雑音及びフロア雑音の値と、分周器２２の分周比と、分周器２２からの出力周波数と、分周器２２からの出力信号の位相雑音及びフロア雑音の値と、が対応付けられたテーブル３５が記憶されている。分周器２１、２２について夫々予め実験やシミュレーションを行ってその特性を調べておくことで、分周器ごとにこのような入力周波数と分周比と出力信号の位相雑音及びフロア雑音の値との対応関係（分周特性データ）が設定されている。
【００１８】
図２では分周器２２からの出力が４．４６４ＭＨｚであるデータのみ示しているが、実際には４．４６４ＭＨｚ以外のデータも記憶されており、ユーザが発振器１からの出力周波数を任意に選択できるようになっている。このテーブル３５には分周器２１の分周比が２、４または８に設定されたときのデータが記憶されており、分周器２１の分周比は、この２、４または８の中から決定される。テーブル３５には分周器２２の分周比が２、４、８、１６、３２に設定されたときのデータが記憶されており、分周器２２の分周比は、この２、４、８、１６、３２の中から決定される。
【００１９】
分周器２１の出力の位相雑音及びフロア雑音の各値には、適正度合いを表すレベル数が設定されており、記憶部３４のテーブル３６には、これらの位相雑音及びフロア雑音の各値とレベル数との対応が記憶されている。レベル数が低いほど良好であり、位相雑音について見ると、分周比が夫々８、４、２であるときの−１１１．３ｄＢｃ／Ｈｚはレベル１、−１０５．３ｄＢｃ／Ｈｚはレベル２、−７４．７ｄＢｃ／Ｈｚはレベル３である。フロア雑音についてみると、分周比が夫々８、４、２であるときの−１４５．０ｄＢｃ／Ｈｚはレベル１、−１４４．７ｄＢｃ／Ｈｚはレベル２、−１３９．６ｄＢｃ／Ｈｚはレベル３である。
【００２０】
分周器２２の出力の位相雑音及びフロア雑音の各値についても分周器２１と同様に適正度合いを表すレベル数が設定されており、記憶部３４のテーブル３７には、各雑音の値とレベル数との対応が記憶されている。位相雑音について見ると分周比が夫々３２、１６、８、４、２であるときの−１２３．２ｄＢｃ／Ｈｚはレベル１、−１１７．３ｄＢｃ／Ｈｚはレベル２、−１１０．８ｄＢｃ／Ｈｚはレベル３、−１０５．２ｄＢｃ／Ｈｚはレベル４、−９８．２はレベル５である。フロア雑音について見ると、分周比が夫々８、４、１６、２、３２であるときの−１５４．９ｄＢｃ／Ｈｚはレベル１、−１５４．４ｄＢｃ／Ｈｚはレベル２、−１５３．３ｄＢｃ／Ｈｚはレベル３、−１５２.３ｄＢｃ／Ｈｚはレベル４、−１４８．８ｄＢｃ／Ｈｚはレベル５である。
【００２１】
また、記憶部３４には分周器２１、２２への許容入力周波数範囲が各々記憶されており、この許容入力周波数範囲は、例えば各々５０ＭＨｚ〜１ＧＨｚとして設定されている。さらに記憶部３４にはＶＣＯ１３の出力可能な周波数範囲が記憶されており、この周波数範囲は例えば３５０ＭＨｚ〜１ＧＨｚとして設定されている。
【００２２】
また、制御部３は、入力部４１を備えている。既述のテーブル３５の各値、各分周器２１、２２から出力される各雑音のレベル数の設定、分周器２１、２２への許容入力周波数範囲及びＶＣＯ１３が出力可能範囲の設定は、この入力部４１より行うことができる。また、発振器１のユーザは、この入力部４１を介してフロア雑音が最適に抑えられるように設定するか、位相雑音が最適に抑えられるように設定するかを選択することができる。
【００２３】
続いて、ユーザがフロア雑音が最適に抑えられるように選択を行った場合に分周器２１、２２の分周比が決定されるプロセスについて、図３のフローを参照しながら説明する。先ずユーザが、入力部４１から発振器１の出力周波数、即ち分周器２２から出力される周波数を決定する（ステップＳ１）。
【００２４】
テーブル３５から、決定された出力周波数に対応する分周器２２の分周比のうち、例えば最も小さい値のものが選択され（ステップＳ２）、さらに選択された分周比に対応する分周器２２出力の位相雑音値を読み出す。そして、テーブル３７の対応関係に基づいて、読み出された位相雑音値のレベルが、最も好ましいレベル１であるか否か判定される（ステップＳ３）。
【００２５】
ステップＳ３でレベル１ではないと判定された場合は、ステップＳ２に戻り、直近に選択された分周比の次に大きいものが改めて選択され、ステップＳ３で対応する分周器２２出力のフロア雑音値がレベル１であるか否かが判定される。このように分周器２２の分周比のうち、小さいものから大きいものに向けて対応する前記フロア雑音値のレベルが１であるか否かの判定が順次行われる。
【００２６】
ステップＳ３でレベル１であると判定されると、その分周比に対応する分周器２２への入力周波数がテーブル３５から読み出され、この入力周波数が分周器２２への許容入力周波数範囲に含まれるか否かが判定される（ステップＳ４）。
【００２７】
ステップＳ４で、入力可能な周波数範囲に含まれないと判定された場合には、ステップＳ２に戻り、決定された出力周波数に対応する分周器２２の分周比のうち、改めて最も小さい値のものが選択され、続くステップＳ３では、選択された分周比に対応する分周器２２出力の位相雑音のレベル数がレベル２であるか否か判定される。レベル２ではないと判定される場合には、ステップＳ２に戻って、直近に選択された分周比の次に大きいものが改めて選択される。
【００２８】
このようにステップＳ４が行われた後に繰り返しステップＳ２が行われるときは、分周器２２の分周比は改めて最も低い値のものから順に選択され、ステップＳ３では直近に判定したレベル数よりも１つ大きいレベル数であるか否かが判定される。即ち、ステップＳ３で前記出力周波数がレベル２であるか否かの判定を行った後、再びステップＳ４でその出力周波数に対応する入力周波数が許容範囲外であると判定された場合、再度行われるステップＳ３では、出力周波数がレベル３であるか否かの判定が行われる。このように、分周器２２出力のフロア雑音がより好ましい分周比から順に、当該分周比に対応する分周器２２への入力周波数が入力許容周波数範囲に含まれるか否かが判定されていく。
【００２９】
ステップＳ４で分周器２２への入力周波数が入力許容周波数範囲に含まれると判定された場合、テーブル３５からステップＳ２で選択された分周器２２に対応する分周器２１の分周比のうち、例えば最も小さい値のものが選択される（ステップＳ５）。そして、選択された分周比に対応する分周器２１の出力のフロア雑音値が読み出され、テーブル３６の対応関係に基づいて、そのフロア雑音値が最も好ましいレベル１であるか否か判定される（ステップＳ６）。
【００３０】
レベル１ではないと判定された場合は、ステップＳ５に戻り、直近に選択された分周比の次に大きいものが改めて選択され、ステップＳ６で対応する分周器２１出力のフロア雑音値がレベル１であるか否かが判定される。このように分周器２１の分周比のうち、小さいものから大きいものに向けて、対応する前記フロア雑音値のレベルが１であるか否かの判定が順次行われる。
【００３１】
ステップＳ５でレベル１であると判定されると、そのように判定された出力周波数に対応する分周器２１への入力周波数がテーブル３５から読み出され、この入力周波数が分周器２１への入力許容周波数範囲に含まれるか否かが判定される（ステップＳ７）。
【００３２】
ステップＳ７で、入力許容周波数範囲に含まれないと判定された場合には、ステップＳ５に戻り、決定された出力周波数に対応する分周器２１の分周比のうち、最も小さい値のものが改めて選択され、続くステップＳ６では、選択された分周比に対応する分周器２１出力の位相雑音のレベル数がレベル２であるか否か判定される。レベル２ではないと判定される場合には、再度ステップＳ５に戻って、直近に選択された分周比の次に大きいものが改めて選択される。
【００３３】
このように、ステップＳ７が行われた後に繰り返しステップＳ５が行われるときは、分周器２１の分周比は最も低い値のものから順に選択されてゆき、ステップＳ６では直近に判定したレベル数よりも１つ大きいレベル数であるか否かが判定される。そうして、分周器２２の入力周波数範囲の適正を判定する場合と同様に、分周器２１出力のフロア雑音がより好ましい分周比から順に、当該分周比に対応する分周器２１への入力周波数が、入力周波数許容範囲に含まれるか否かが判定される。
【００３４】
ステップＳ７で、分周器２１への入力周波数が入力許容周波数範囲に含まれると判定された場合、ステップＳ２、Ｓ５で選択された分周器２１、２２の分周比に対応するＶＣＯ１３の出力周波数がテーブル３５から読み出され、この出力周波数が、ＶＣＯ１３の出力可能な周波数範囲に含まれているか否かが判定される（ステップＳ８）。
【００３５】
ステップＳ８で、ＶＣＯ１３の出力可能な周波数範囲に含まれていると判定された場合は、ステップＳ２、Ｓ５で夫々選択された値に分周器２１、２２の分周比が決定される（ステップＳ９）。また、発振器１の動作時には、ＶＣＯ１３から決定された分周比に対応した周波数が出力されるように周波数シンセサイザ１０が制御される。
【００３６】
ステップＳ８でＶＣＯ１３の出力可能な周波数範囲に含まれていないと判定された場合は、例えばステップＳ２に戻り、繰り返し上記のフローが実施される。既述のようにステップＳ３、Ｓ６では、判定の基準が引き下げられ、フロア雑音のレベルが、直近に判定したレベルよりも一つ大きいレベルか否かについて判定される。
【００３７】
ユーザが、フロア雑音が最適に抑えられるように選択を行った場合には、ステップＳ３、Ｓ６において、選択された分周比に対応するフロア雑音のレベルについて判定する代わりに選択された分周比に対応する位相雑音のレベルについて判定が行われる。このような違いを除いては上記のフローと同様に分周器２１、２２の分周比及びＶＣＯの出力周波数が決定される。
【００３８】
分周器２２からの出力が４．４６４ＭＨｚに設定され、ユーザがフロア雑音を最適に抑えるように選択した場合、図３に示した各データと上記のフローに従い、ＶＣＯ１３の出力は５７１．３９２ＭＨｚ、分周器２１の分周比は８、分周器２２の分周比は１６として夫々決定される。また、ユーザが位相雑音を最適に抑えるように選択した場合、図３に示した各データと上記のフローに従い、ＶＣＯ１３の出力は１１４２．７８４ＭＨｚ、分周器２１の分周比は８、分周器２２の分周比は３２として決定される。
【００３９】
また、位相雑音及びフロア雑音の両方が抑えられるように分周器２１、２２の分周比及びＶＣＯの出力周波数を決定することもできる。図４は、そのようなフローを示しており、図３のフローとの差異点を中心に説明する。先ず、ユーザは、予め入力部４１から、分周器２１、２２から出力される位相雑音及びフロア雑音の各レベルの許容範囲を設定しておく。
【００４０】
ステップＳ１で発振器１の出力周波数を決定した後、ステップＳ２では上記のフローと同様に、分周器２２について最も低い分周比が初めに選択される。そして、ステップＳ２で選択された分周比に対応するフロア雑音のレベルが、上記のようにユーザが設定した許容範囲に含まれるか否かが判定される（ステップＳ２１）。
【００４１】
ステップＳ２１で許容範囲に含まれないと判定された場合にはステップＳ２に戻って前記分周比が改めて選択される。分周比を改めて選択し直す場合は、図３のフローとは異なり、直近に設定された分周比の次に大きいものが選択される。ステップＳ２１で許容範囲に含まれると判定された場合は、続いて、ステップＳ２で選択された分周比に対応する位相雑音値のレベルが、設定された許容周波数範囲に含まれるか否かが判定される（ステップＳ２２）。
【００４２】
ステップＳ２２で許容範囲に含まれないと判定された場合にはステップＳ２に戻って分周比が改めて選択される。ステップＳ２２で許容範囲に含まれると判定された場合には図３のフローと同様にステップＳ４が実施され、選択された分周器２２の分周比に対応した入力周波数が許容範囲か否か判定される。ステップＳ４で許容範囲に含まれないと判定された場合はステップＳ２に戻って分周比が改めて選択される。ステップＳ４で許容範囲に含まれると判定された場合には、ステップＳ５で、ステップＳ２と同様に分周器２１について最も低い分周比が選択される。そして、ステップＳ５で選択された分周比に対応するフロア雑音値のレベルが、ユーザが設定した許容範囲に含まれるか否かが判定される（ステップＳ２３）。
【００４３】
ステップＳ２３で許容範囲に含まれないと判定された場合にはステップＳ５に戻って分周比が改めて設定される。ステップＳ２と同様、ステップＳ５で改めて分周比が選択される場合には直近に選択した分周比の次に大きい分周比が選択される。ステップＳ２３で許容範囲に含まれると判定された場合には、ステップＳ５で選択された分周比に対応する位相雑音値のレベルが、ユーザが設定した許容範囲に含まれるか否かが判定される（ステップ２４）。ステップＳ２４で許容範囲に含まれないと判定された場合にはＳ５に戻って分周比が改めて設定される。許容範囲に含まれると判定された場合には、図３のフローと同様にステップＳ７が実施され、ステップＳ５で選択された分周比に対応した入力周波数が許容範囲か否か判定される。
【００４４】
ステップＳ７で許容範囲に含まれないと判定された場合はステップＳ５に戻って分周比が改めて選択される。ステップＳ７で許容範囲に含まれると判定された場合には、図３のフローと同様にステップＳ８が実施され、ＶＣＯ１３の出力可能範囲であるか否かが判定される。そして、ステップＳ８でＶＣＯ１３の出力可能範囲ではないと判定された場合には、ステップＳ２に戻って分周器２２の分周比が改めて選択される。ＶＣＯ１３の出力可能範囲であると判定された場合には分周比がステップＳ２、Ｓ５で選択された分周比に決定される。
【００４５】
この発振器１０によれば、分周器２１、２２への入力許容周波数範囲及びＶＣＯ１３の出力可能周波数範囲に基づいて、最終段の分周器２２からの出力信号の位相雑音及び／またはフロア雑音が良好に抑えられるように分周器２１、２２の分周比及びＶＣＯ１３の出力が自動で決定される。従って、これら分周比及びＶＣＯ１３の出力を決定するために要する手間や時間を抑えることができる。
【００４６】
本例では２つの分周器が縦続に接続されているが、このように接続する分周器の数としては２個に限られず、３個以上設けてもよいし、１個でもよい。
【符号の説明】
【００４７】
１                      発振器
１０                    周波数数シンセサイザ
１１                    水晶発振器
１３                    ＶＣＯ
２１                    分周器
２２                    分周器
３                      制御部
３１                    ＣＰＵ
３２                    プログラム
３４                    記憶部
【図１】
2011188303.tif 000003
【図２】
2011188303.tif 000004
【図３】
2011188303.tif 000005
【図４】
2011188303.tif 000006